(57)【特許請求の範囲】
【請求項１】
周囲の環境に応じた最適な表示オブジェクトを撮影画像と重ねて利用者に表示するための表示装置であって、
物理的媒体上のイメージパターンを読み取る読取部と、
前記表示装置の周囲の環境をセンシングするための環境センサによって取得された外部環境の状態パラメータを取得する取得部と、
前記物理的媒体を撮影して撮影画像を生成する撮影部と、
読み取った前記イメージパターンに基づいて決定された利用者に提示する表示オブジェクトを前記撮影画像と重ねて表示する表示部であって、前記撮影画像と重ねて表示される前記表示オブジェクトが外部環境の状態パラメータに応じて変化する、表示部と、
を備え、
前記読取部は、前記取得部が取得すべき外部環境の状態パラメータの種類を含んだイメージパターンを読み取り、
前記取得部は、前記種類により指定された外部環境の状態パラメータを取得する、表示装置。
【請求項２】
撮影部を備え、周囲の環境に応じた最適な表示オブジェクトを前記撮影部による撮影画像と重ねて利用者に表示するための表示装置が所定のステップを実行する表示方法であって、前記所定のステップが、
物理的媒体上のイメージパターンを読み取るステップと、
前記表示装置の周囲の環境をセンシングするための環境センサによって取得された外部環境の状態パラメータを取得するステップと、
前記物理的媒体を撮影して撮影画像を生成するステップと、
読み取った前記イメージパターンに基づいて決定された利用者に提示する表示オブジェクトを前記撮影画像と重ねて表示するステップであって、前記撮影画像と重ねて表示される前記表示オブジェクトが、外部環境の状態パラメータに応じて変化する、ステップと、
を含み、
前記読み取るステップにおいては、外部環境の状態パラメータの種類を含んだイメージパターンを読み取り、
前記取得するステップにおいては、前記種類により指定された外部環境の状態パラメータを取得する、
表示方法。
【請求項３】
周囲の環境に応じた最適な表示オブジェクトを撮影画像と重ねて利用者に表示するための表示装置として情報処理装置を機能させるプログラムであって、
前記情報処理装置を、
物理的媒体上のイメージパターンを読み取る読取部と、
前記表示装置の周囲の環境をセンシングするための環境センサによって取得された外部環境の状態パラメータを取得する取得部と、
前記物理的媒体を撮影して撮影画像を生成する撮影部と、
読み取った前記イメージパターンに基づいて決定された利用者に提示する表示オブジェクトを前記撮影画像と重ねて表示する表示部であって、前記撮影画像と重ねて表示される前記表示オブジェクトが外部環境の状態パラメータに応じて変化する、表示部として機能させ、
前記読取部は、前記取得部が取得すべき外部環境の状態パラメータの種類を含んだイメージパターンを読み取り、
前記取得部は、前記種類により指定された外部環境の状態パラメータを取得する、
プログラム。
【請求項４】
情報処理装置に対して装着され、前記情報処理装置を周囲の環境に応じた最適な表示オブジェクトを撮影画像と重ねて利用者に表示するための表示装置として機能させる外部ユニットであって、
前記情報処理装置の周囲の環境をセンシングするための環境センサによって取得された外部環境の状態パラメータを取得する取得部と、
表示装置として前記情報処理装置を機能させるプログラムを記憶するプログラムメモリと備え、
前記プログラムメモリは、外部ユニットが装着された状態の前記情報処理装置を、物理的媒体上のイメージパターンを読み取る読取部と、前記表示装置の周囲の環境をセンシングするための環境センサによって取得された外部環境の状態パラメータを取得する取得部と、前記物理的媒体を撮影して撮影画像を生成する撮影部と、読み取った前記イメージパターンに基づいて決定された利用者に提示する表示オブジェクトを前記撮影画像と重ねて表示する表示部であって、前記撮影画像と重ねて表示される前記表示オブジェクトが外部環境の状態パラメータに応じて変化する、表示部として機能させるプログラムを記憶し、
前記読取部は、前記取得部が取得すべき外部環境の状態パラメータの種類を含んだイメージパターンを読み取り、
前記取得部は、前記種類により指定された外部環境の状態パラメータを取得する、
外部ユニット。
【発明の詳細な説明】
【技術分野】
【０００１】
本発明は、表示装置、出力装置、表示システム、表示方法、媒体、プログラム、及び外部ユニットに関する。特に、本発明は、イメージパターンを読み取って、読み取ったイメージパターンに応じた出力画像を表示する表示装置、出力装置、表示システム、表示方法、媒体、プログラム、及び外部ユニットに関する。
【背景技術】
【０００２】
従来より、ＱＲコード（ＩＳＯ／ＩＥＣ１８００４）等のコード画像が用いられている（例えば、非特許文献１参照。）。コード画像は、例えば、インターネットにアクセスする場合におけるアドレス（ＵＲＬ）を携帯電話等に取得するために用いられる。コード画像を用いて表示されたインターネット上のアドレスにアクセスする場合、携帯端末は、コード画像の画像を内蔵カメラにより取り込み、取り込んだ画像をデコードする。そして、携帯端末は、デコードして得られたコードにより指定されたインターネット上のアドレスにアクセスし、インターネットサイトの画面を表示する。このように、コード画像を用いることにより、アドレスをキー入力する手間を省くことができる。従って、コード画像は、利用者の携帯端末に対して広告を表示させたい場合等に用いると好適である。
また、参考技術として、撮影時に録音した音楽のデータを、その撮影によって得られた画像に重ねて、通常目に見えない特殊なインクで印刷するカメラが提案されている（例えば、特許文献１参照。）。
【先行技術文献】
【特許文献】
【０００３】
【特許文献１】特開２０００−３２３０６号公報
【非特許文献】
【０００４】
【非特許文献１】ＱＲコードの特長、ホームページＵＲＬ「http://www.denso-wave.com/qrcode/qrfeature.html」２００５年８月１１日検索
【発明の概要】
【発明が解決しようとする課題】
【０００５】
従来技術においては、コード画像により指定された画像情報を表示する場合、読み取るコード画像に応じて、表示画像が一意に定まるのが一般的である。従って、利用者の状況によっては、最適でない画像を表示してしまう場合がある。
そこで、本発明は、上記の課題を解決することのできる表示装置、出力装置、表示システム、表示方法、媒体、プログラム、及び外部ユニットを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、物理的媒体上のイメージパターンを読み取る読取部と、環境センサによって取得された外部環境の状態パラメータを取得する取得部と、読取部が読み取ったイメージパターンに基づいて利用者に提示する表示オブジェクトを、取得部が取得した状態パラメータに応じて決定する決定部と、決定部が決定した表示オブジェクトを表示する表示部とを備える表示装置、当該表示装置を含む表示システム、表示方法、当該表示装置として情報処理装置を機能させるプログラムを提供する。
【０００７】
また、本発明の第２の形態においては、情報を読み取る読取部と、外部環境の状態を示す状態パラメータを取得する取得部と、読取部が読み取った情報及び取得部が取得した状態パラメータに応じて、出力データを生成する生成部と、生成部が生成した出力データを利用者に対して出力する出力部とを備える出力装置を提供する。
また、本発明の第３の形態においては、利用者に提示する情報を示すコードが含まれたイメージパターンが付されており、コードは、当該コードにより示された情報を利用者に提示する機器が取得すべき外部環境の状態パラメータの種類を指定する情報を含み、イメージパターンを読み取った機器により、種類の外部環境の状態パラメータを取得させ、当該状態パラメータに応じた表示オブジェクトを表示させる媒体を提供する。
【０００８】
また、本発明の第４の形態においては、情報処理装置に対して装着される外部ユニットであって、環境センサによって取得された外部環境の状態パラメータを取得する取得部と、表示装置として情報処理装置を機能させるプログラムを記憶するプログラムメモリと備え、プログラムメモリは、外部ユニットが装着された状態の情報処理装置を、物理的媒体上のイメージパターンを読み取る読取部と、環境センサによって取得された外部環境の状態パラメータを取得する取得部と、読取部が読み取ったイメージパターンに基づいて利用者に提示する表示オブジェクトを、取得部が取得した状態パラメータに応じて決定する決定部と、決定部が決定した表示オブジェクトを表示する表示部として機能させるプログラムを記憶する外部ユニットを提供する。
なお、上記の発明の概要は、本発明の必要な特徴の全てを列挙したものではなく、これらの特徴群のサブコンビネーションもまた、発明となりうる。
【発明の効果】
【０００９】
本発明によれば、環境に応じた最適な画像を利用者に対して表示することができる。
【図面の簡単な説明】
【００１０】
【図１】本実施形態に係る表示システム１の全体構成を示す。
【図２】ＱＲコードで表されたコード画像１０を示す。
【図３】本実施形態に係る表示装置３０の構成を示す。
【図４】表示装置３０の処理の流れを示す。
【図５】表示装置３０として機能をする情報処理装置４０のブロック構成を示す。
【図６】本実施形態に係る表示システム１を広告システムに適用した場合における広告を表示する前の表示部３６の状態を示す。
【図７】本実施形態に係る表示システム１を広告システムに適用した場合における広告を表示した後の表示部３６の状態を示す。
【図８】本実施形態に係るバーチャル昆虫採集システム７０を示す。
【図９】バーチャル昆虫採集システム７０の変形例としての書籍８０を示す。
【図１０】バーチャル昆虫採集システム７０の変形例としての書籍８０に対して、表示装置３０をかざした状態を示す。
【図１１】本実施形態の変形例に係る表示装置９０の外観を示す。
【図１２】本実施形態の変形例に係る表示装置９０のブロック構成を示す。
【発明を実施するための形態】
【００１１】
以下、発明の実施形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１２】
図１は、表示システム１の全体構成を示す。表示システム１は、コード画像１０が付された物理的媒体２０と、表示装置３０とを備える。
物理的媒体２０は、本実施形態においては雑誌であるが、これに代えて、例えば、新聞、電化製品又は壁等のコード画像１０を表面に付すことができる物であってよい。コード画像１０は、物理的媒体２０の表面に印刷等により付され、利用者に出力する情報を示すコードが含まれた画像である。コード画像１０は、物理的媒体２０に付された状態で利用者が視覚により認識できない画像であってよい。例えば、コード画像１０は、通常光の下では光の像を表示せず、かつ、赤外光又は紫外光等の所定の光の下では光の像を表示する特殊インクにより印刷されており、人間の目では見えないが、赤外光又は紫外光等の補助光を照射することにより撮像可能であってよい。このようなコード画像１０は、本発明に係るイメージパターンの一例である。
表示装置３０は、コード画像１０を読み取って、読み取った内容に応じた表示オブジェクトを表示する。
【００１３】
図２は、利用者に出力する情報を示す情報がＱＲコードで表されたコード画像１０の一例を示す。
コード画像１０は、利用者に表示する画像の格納先又は画像の種類等を指定する識別コードを含む。さらに、コード画像１０は、当該コード画像１０を読み込んだ表示装置３０が取得すべき外部環境の状態パラメータの種類を指定する属性情報を含んでよい。
【００１４】
ここで、外部環境の状態パラメータは、表示装置３０の外部環境の状態を示す情報であり、具体的には、取得時の時刻、取得時の日時、取得時の曜日、当該表示装置の緯度及び経度、当該表示装置の周囲の明るさ、当該表示装置の外部の温度、当該表示装置の外部の湿度、当該表示装置に加わる加速度、当該表示装置の周囲の音、当該表示装置の方位、又は当該表示装置の周囲の気圧等である。属性情報は、これらの状態パラメータの少なくとも一つを指定する情報を含む。コード画像１０の作成者は、表示装置３０が取得すべき状態パラメータの組み合わせを、コード画像１０を用いて任意に指定することができる。なお、コード画像１０は、ＱＲコードに限らず、バーコード又はその他の二次元コードでよい。
【００１５】
図３は、表示装置３０の構成を示す。表示装置３０は、撮影部３１と、読取部３２と、取得部３３と、決定部３４と、データベース３５と、表示部３６とを有する。
撮影部３１は、撮影対象物を撮影して撮影画像を生成する。撮影部３１は、撮像画像を決定部３４に供給する。読取部３２は、コード画像１０を読み取る。読取部３２は、読み取ったコード画像１０を決定部３４に供給する。
【００１６】
取得部３３は、決定部３４により指定された１又は複数の状態パラメータを取得し、取得した状態パラメータを決定部３４に供給する。取得部３３は、例えば、環境センサ３７と、タイマ部３８と、ＧＰＳ部３９とを含む。取得部３３は、環境センサ３７、タイマ部３８及びＧＰＳ部３９の出力値から取得する。環境センサ３７は、例えば、当該表示装置３０の周囲の明るさ、外部の温度、外部の湿度、加速度、音、方位、気圧並びに匂い等を計測する。タイマ部３８は、時刻、日付、曜日を出力する。ＧＰＳ部３９は、当該表示装置３０の緯度及び経度を出力する。
【００１７】
決定部３４は、読取部３２から供給されたコード画像１０に基づいて利用者に提示する表示オブジェクトを、取得部３３が取得した状態パラメータに応じて決定する。データベース３５は、決定部３４が生成する表示オブジェクトの基となるデータを管理する。表示部３６は、決定部３４が生成した表示オブジェクトを表示する。
【００１８】
図４は、表示装置３０の処理の流れを示す。
まず、表示装置３０は、利用者の操作に応じてコード画像１０を読み取る（ステップＳ１０）。続いて、決定部３４は、読み取ったコード画像１０が、基準の大きさよりも大きいか否かを判断する（ステップＳ１１）。決定部３４は、読み取ったコード画像１０が基準のサイズより大きい場合には、ステップＳ１２に進み、大きくない場合には、ステップＳ１７に進む。決定部３４は、読取部３２により読み取られたコード画像１０をデコードし、コード画像１０に含まれている識別コード及び属性情報を認識する（ステップＳ１２）。続いて、決定部３４は、属性情報により指定された１又は複数の状態パラメータの取得要求を取得部３３へ発行する（ステップＳ１３）。続いて、取得部３３は、決定部３４からの要求に応じて状態パラメータを取得し、取得した状態パラメータを決定部３４に送る（ステップＳ１４）。
【００１９】
続いて、決定部３４は、コード画像１０に含まれていた識別コード及び取得した状態パラメータにより特定される画像情報を、データベース３５を検索することにより抽出する（ステップＳ１５）。続いて、決定部３４は、抽出した画像情報に基づき表示オブジェクトを生成する（ステップＳ１６）。例えば、決定部３４は、識別コードにより特定された画像を、取得した状態パラメータに応じて加工変更することにより表示オブジェクトを生成する。また、例えば、１つの識別コードに複数の画像が割り当てられて管理されている場合には、決定部３４は、割り当てられている画像のうちいずれか一つの画像を状態パラメータに応じて選択し、選択した画像に基づき表示オブジェクトを生成する。続いて、表示部３６は、決定部３４が生成した表示オブジェクトを、撮影部３１により生成された撮影画像に重ねて利用者に表示する（ステップＳ１７）。なお、ステップＳ１１によりコード画像１０が基準以下の大きさであると判断した場合には、撮影画像をそのまま表示する（ステップＳ１７）。
【００２０】
このような表示システム１によれば、表示装置３０の外部環境に応じた最適な画像を、利用者に対して表示することができる。なお、決定部３４は、表示オブジェクトを単独で表示してもよい。
【００２１】
図５は、表示装置３０として機能をする情報処理装置４０のブロック構成を示す。情報処理装置４０は、カメラ部４１と、プロセッサ４３と、モニタ４４と、キー４５と、通信部４６と、記憶部４７と、環境センサ３７と、タイマ部３８と、ＧＰＳ部３９とを有する。
カメラ部４１は、撮影対象物からの光を受光して撮像画像を生成する。また、カメラ部４１は、コード画像１０からの光を受光して、当該コード画像１０の画像データを生成する。例えば、カメラ部４１は、利用者が視覚により認識できないコード画像１０に対して紫外光又は赤外光等の補助光を照射し、補助光の照射によりコード画像１０が発する光を受光して画像データを生成する。カメラ部４１は、撮影対象物及びコード画像１０からの光を集光するレンズ５２と、コード画像１０を撮像する場合において紫外光又は赤外光を透過させるフィルタ５４と、フィルタ５４を透過した光を電気信号に変換する撮像素子５６と、補助光をコード画像１０に対して照射する照射部５８とを含む。このようなカメラ部４１は、表示装置３０の撮影部３１及び読取部３２の機能を実現する。
【００２２】
プロセッサ４３は、ＲＡＭ４３-１又はＲＯＭ４３-２等に記憶されたプログラムを実行して当該情報処理装置４０の各部に対する制御等を行う。プロセッサ４３は、各部の制御を行うことにより、当該情報処理装置４０を表示装置３０として動作させる。モニタ４４は、利用者に対して画像を表示する。モニタ４４は、表示装置３０の表示部３６の機能を実現する。キー４５は、利用者からの操作入力を受け付ける。通信部４６は、ネットワークを介して、当該表示装置３０の外部のサーバ又は他の機器と通信を行う。記憶部４７は、利用者に対して出力する画像データ等を記憶する。記憶部４７は、表示装置３０の内部に設けられていてもよいし、ネットワーク上に設けられて通信部４６を介して接続されてもよい。
【００２３】
環境センサ３７は、一例として、表示装置３０の周囲の明るさを測定する明度センサ、外部の温度を測定する温度センサ、外部の湿度を測定する湿度センサ、加速度を測定する加速度センサ、音量を測定する音量センサ、地磁気を検出して方位を測定する方位センサ、気圧を測定する気圧センサ、並びに匂いを測定する匂いセンサ等を含む。環境センサ３７は、プロセッサ４３からの取得要求に応じて測定した外部環境の状態を出力する。タイマ部３８は、プロセッサ４３からの取得要求に応じて、現在の時刻、日付、曜日を出力する。ＧＰＳ部３９は、プロセッサ４３からの取得要求に応じて、現在位置の緯度及び経度情報を出力する。
【００２４】
このような情報処理装置４０にインストールされるプログラムは、記録媒体又はネットワークを介して利用者によって提供される。プログラムは、プロセッサ４３において実行される。
情報処理装置４０にインストールされ、情報処理装置４０を表示装置３０として機能させるプログラムは、撮影モジュールと、読取モジュールと、取得モジュールと、生成モジュールと、データベースモジュールと、表示モジュールとを備える。これらのプログラム又はモジュールは、プロセッサ４３等に働きかけて、情報処理装置４０を、撮影部３１と、読取部３２と、取得部３３と、決定部３４と、データベース３５と、表示部３６としてそれぞれ機能させる。
【００２５】
以上に示したプログラム又はモジュールは、外部の記憶媒体に格納されてもよい。記憶媒体としては、フレキシブルディスク、ＣＤ−ＲＯＭの他に、ＤＶＤやＣＤ等の光学記録媒体、ＭＯ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムを情報処理装置４０に提供してもよい。
【００２６】
図６及び図７は、表示システム１の適用例の一つである広告システムを示す。なお、図６及び図７において、点線で囲まれた領域内は、本適用例において物理的媒体２０として用いられた雑誌の一部を示す。より具体的には、点線で囲まれた領域内は、新商品のビール飲料の記事が記載されているとともに、当該ビール飲料の広告を利用者に提示するための人間の目では視認できない特殊インクで印刷されたコード画像１０が記載されている。
【００２７】
図６は、広告を表示する前の表示部３６の状態を示す。表示装置３０の決定部３４は、物理的媒体２０としての雑誌を撮影した場合、その記事内容を表示部３６に表示するとともに、表示画像上における当該コード画像１０が付されている位置に広告情報が存在することを示すポインタ６０を表示する。これにより、表示装置３０は、コード画像１０の存在を利用者に対して認識させることができる。また、決定部３４は、画角に対するコード画像１０の大きさが基準の大きさより小さい場合、広告情報が存在することを示すポインタ６０を表示してよい。これにより、コード内容の認識ができない場合等にも、コード画像１０の存在を利用者に認識させることができる。さらに、表示装置３０の決定部３４は、利用者が広告の内容を見たいと希望する場合の操作方法を示した説明文字列６１を、ポインタ６０とともに表示部３６上に表示してもよい。
【００２８】
図７は、広告を表示した後の表示部３６の状態を示す。表示装置３０の決定部３４は、ポインタ６０が表示された状態において利用者により広告表示のための操作等がされた場合等において、コード画像１０により指定される所定の広告画像をデータベース３５から取得して表示部３６上に表示する。このとき、決定部３４は、状態パラメータを取得し、取得した状態パラメータに応じて表示する広告画像を切り換える。例えば、決定部３４は、ビール飲料の広告を表示するのであれば、状態パラメータとして外部温度を取得する。決定部３４は、一例として、気温が高い場合には、暑い時期に食べると美味しい食品をビール飲料とともに表示し、ビール飲料の背景を夏の海の画像等にしてよい。また、決定部３４は、外部温度が低い場合には、寒い時期に食べると美味しい食品をビール飲料とともに表示し、ビール飲料の背景を北極の画像等にしてよい。
表示装置３０は、このように状態パラメータに応じて広告画像を切り換えることにより、外部環境に応じて最適な内容の広告を利用者に対して表示することができる。
【００２９】
図８は、表示システム１の適用例の一つである、擬似的な生物採集アトラクションを利用者に提供するバーチャル昆虫採集システム７０を示す。
バーチャル昆虫採集システム７０は、物理的媒体２０として用いられる建物７２と、携帯可能な表示装置３０とを備える。
【００３０】
建物７２は、森、草原等の昆虫が採集できる擬似的な状況を形成するアトラクションスペースを、内部に有する。さらに、建物７２の内部は、昆虫がいそうな多数の場所に、昆虫の種類を識別するコードが含まれたコード画像１０が付されている。利用者は、表示装置３０を手に持ち、昆虫がいそうな場所にその表示装置３０をかざしながら昆虫を探す。表示装置３０は、利用者が昆虫探索している間は、赤外光等の補助光を照射しながら周囲を撮像する。そして、表示装置３０は、アトラクションスペースに付されているコード画像１０を認識すると、表示部３６上にポインタを表示し又はスピーカから音を出し、昆虫を発見したことを利用者に通知する。表示装置３０は、昆虫を発見した後に、利用者により所定の捕獲操作がされた場合、発見した昆虫に関するデータを例えばデータベース３５からダウンロードして内部メモリに登録し、以後利用者の操作に応じてその昆虫の画像等を表示する。これにより、表示装置３０は、昆虫を捕まえたことを擬似的に利用者に体験させることができる。
【００３１】
ここで、表示装置３０の決定部３４は、昆虫を発見した場合（コード画像１０を認識した場合）、昆虫発見時の時刻及び外部の明るさ等の状態パラメータに応じて、表示する昆虫の種類を変更する。決定部３４は、同一のコード画像１０を認識した場合であっても、コード読取時等の表示装置の外部の温度、当該表示装置の外部の湿度、当該表示装置の周囲の明るさ、又は時刻等によって、異なる昆虫を発見するように表示オブジェクトを生成する。従って、表示装置３０は、アトラクションスペース内の同じ位置で昆虫を発見した場合であっても、朝と夜とで異なる昆虫を出現させたり、ある特定の時刻には非常に珍しい昆虫を出現させたり、夏と冬とでは異なる昆虫を出現させたりする。このことにより、表示システム１は、利用者が楽しめる本格的なバーチャル昆虫採集システム７０を提供することができる。
【００３２】
なお、表示装置３０は、昆虫を捕まえた場合、その捕まえた昆虫を育成ゲームプログラムの対象としたり、捕まえた昆虫を他の利用者が持っている昆虫と対戦させる対戦ゲームの対象としたり、捕まえた昆虫をネットワーク上のデータベースに登録することにより昆虫の擬似標本の対象としたり、捕まえた昆虫を他の利用者との交換の対象としたりしてもよい。
【００３３】
さらに、表示装置３０の決定部３４は、昆虫の採集時に、状態パラメータに応じて、昆虫を捕獲したことを示す表示オブジェクトと昆虫が逃げたことを示す表示オブジェクトとを切り換え表示してもよい。また、決定部３４は、表示オブジェクトに表示する昆虫の動きを状態パラメータに応じて変更してもよい。また、決定部３４は、過去に同一種類のコード画像１０に基づき昆虫の表示オブジェクトを生成している場合、そのコード画像１０を検出した回数に応じた成長度の昆虫の表示オブジェクトを生成してもよい。また、決定部３４は、過去に取得したコード画像１０と同じコードのコード画像１０を取得した場合又は同じコードのコード画像を所定の回数取得した場合に、そのコードのコード画像１０に応じて表示した昆虫と同一の昆虫を表示した表示オブジェクトを生成しないようにしてもよい。
【００３４】
また、ネットワーク上のサーバに決定部３４が生成する表示オブジェクトを管理する機能を設けておく。表示装置３０の通信部４６は、読み取ったコード画像１０に応じた情報又は決定部３４が生成した表示オブジェクトに応じた情報の少なくとも一つをサーバに送信する。表示装置３０は、当該表示装置３０又は他の表示装置が過去に同じコード画像１０に基づき同じ昆虫の表示オブジェクトを生成していたか否かについての情報をサーバから受信する。そして、決定部３４は、当該表示装置３０又は他の表示装置が過去に同じコード画像１０に基づき同じ昆虫の表示オブジェクトを生成していた場合、当該コード画像１０に示されたコードに応じた昆虫を表示する表示オブジェクトを生成しない、又は、当該コード画像１０に示されたコードに応じた昆虫を表示する表示オブジェクトを生成しない確率を高くするようにしてもよい。
なお、生物採集アトラクションの一例としてバーチャル昆虫採集システム７０を示したが、その他の生物の採集アトラクションに表示システム１を適用してよい。
【００３５】
図９及び図１０は、コード画像１０が付された物理的媒体２０として書籍８０を用いたバーチャル昆虫採集システム７０の変形例を示す。図９は、表示装置３０を書籍８０にかざす前の状態を示し、図１０は、表示装置３０を書籍８０にかざした状態を示す。
図９及び図１０に示した例は、図８に示した建物７２の代わりに書籍８０に森等を通常のインクにより印刷し、その上に特殊インクによりコード画像１０を印刷する。これにより、利用者は、家庭内等で気軽に擬似的な昆虫採集を楽しむことができる。
【００３６】
図１１は、表示装置３０の変形例に係る表示装置９０の外観を示す。表示装置９０において、表示装置３０と同一の符号を付した部材は、表示装置３０の略同一の機能及び構成を有するので相違点を除き以下説明を省略する。
表示装置９０は、本体部９２と、外部ユニット９４とを有する。外部ユニット９４は、本体部９２に形成されたスロット９６に対して取り外し可能に装着される。表示装置９０は、外部ユニット９４がスロット９６に装着された状態で本体部９２と電気的に接続され、表示装置３０と同様の表示装置として機能する。
【００３７】
図１２は、表示装置９０のブロック構成を示す。
表示装置９０は、内部にプログラムメモリ９８と環境センサ３７とを含む外部ユニット９４が接続されるスロット９６を有する。プログラムメモリ９８は、情報処理装置を表示装置９０として機能させるプログラムを記憶する。プログラムメモリ９８に記憶されているプログラムは、本体部９２が装着されると、プロセッサ４３により読み出される。プロセッサ４３は、読み出したプログラムを実行する。
【００３８】
環境センサ３７は、プログラムメモリ９８に記憶されたプログラムが要求する気温又は湿度等の状態パラメータを測定する気温センサ又は湿度センサ等のセンサを含む。表示装置９０は、外部ユニット９４の環境センサ３７の中に要求するセンサを収納しているので、例えば、状態パラメータの取得機能の追加、プログラムのバージョンアップによるセンサ機能の変更等を簡単に行うことができる。
また、撮影部３１（カメラ部４１）、タイマ部３８及びＧＰＳ部３９も外部ユニット９４に内蔵させてもよい。
【００３９】
以上、本発明に係るイメージパターンの一例として、コード画像１０を利用した実施形態について説明をしたが、イメージパターンは、コード情報を直接含む形態に代えて、電子透かしによりコードを間接的に含んでもよい。また、表示装置３０は、コードを含まないイメージパターンを取り込み、状態パラメータに応じて取り込んだイメージパターンに対して加工又は変更を施してもよい。また、実施形態として画像を表示する表示装置３０について説明をしたが、音を出力したり、文字列を出力してもよい。
【００４０】
また、本発明を実施形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００４１】
１  表示システム
１０  コード画像
２０  物理的媒体
３０  表示装置
３１  撮影部
３２  読取部
３３  取得部
３４  決定部
３５  データベース
３６  表示部
３７  環境センサ
３８  タイマ部
３９  ＧＰＳ部
４０  情報処理装置
４１  カメラ部
４２  センサ
４３  プロセッサ
４４  モニタ
４５  キー
４６  通信部
４７  記憶部
５２  レンズ
５４  フィルタ
５６  撮像素子
５８  照射部
６０  ポインタ
６１  説明文字列
７０  バーチャル昆虫採集システム
７２  建物
８０  書籍
９０  表示装置
９２  本体部
９４  外部ユニット
９６  スロット
９８  プログラムメモリ
【図１】
0005337267.tif 000002
【図２】
0005337267.tif 000003
【図３】
0005337267.tif 000004
【図４】
0005337267.tif 000005
【図５】
0005337267.tif 000006
【図６】
0005337267.tif 000007
【図７】
0005337267.tif 000008
【図８】
0005337267.tif 000009
【図９】
0005337267.tif 000010
【図１０】
0005337267.tif 000011
【図１１】
0005337267.tif 000012
【図１２】
0005337267.tif 000013